Podtech/llm-jp-corpus-v4-ja_patent huggingface dataset:
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
ａ）ファスナーに、第１の量の未硬化のシーラントを適用する工程と、
ｂ）前記シーラント及びファスナーの上に、内部を画定する光学的に半透明なシールキャップを適用する工程と、
ｃ）前記第１の量の未硬化のシーラントを硬化させ、第１の量の硬化したシーラントを形成する工程と、
ｄ）前記シールキャップの前記内部内の空隙を、第２の量の未硬化のシーラントで充填する工程と、
ｅ）前記第２の量のシーラントを硬化させ、第２の量の硬化したシーラントを形成する工程と、を含む、ファスナーをシーリングする方法。
【請求項２】
ｆ）内部を画定する光学的に半透明なシールキャップを用意する工程と、
ｇ）第１の量の未硬化のシーラントを、前記シールキャップの前記内部に適用する工程と、
ｈ）前記シールキャップ及び第１の量のシーラントをファスナーの上に適用する工程と、
ｊ）前記第１の量のシーラントを硬化させ、第１の量の硬化したシーラントを形成する工程と、
ｋ）前記シールキャップの前記内部内の空隙を、第２の量の未硬化のシーラントで充填する工程と、
ｌ）前記第２の量のシーラントを硬化させ、第２の量の硬化したシーラントを形成する工程と、を含む、ファスナーをシーリングする方法。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
電解槽の電極における電流分布の向上を促進するための電解槽用のアセンブリであって、
前記電極に選択的に接触するための一次接触素子を受けるような形状にされた細長のチャネルを有する絶縁性で細長の本体を備えるキャッピング板であって、前記絶縁性で細長の本体から上向きに延在している対向する二列の支持突起を更に含み、同じ列の支持突起が互いに間隔が空けられて、各アノード及び各カソードをそれぞれ維持するための交互の第一側方凹部及び第二側方凹部を画定している、キャッピング板と、
前記キャッピング板及び前記一次接触素子と連携して、対向する第一列及び第二列の電極を受けるように構成された絶縁体と、を含み、各列の電極が交互のアノード及びカソードであり、前記絶縁体が、前記一次接触素子に関して、
前記第一列の各アノードと前記一次接触素子とを電気的に接触させ、前記第二列の各アノードを前記一次接触素子から絶縁し、
前記第二列の各カソードと前記一次接触素子とを電気的に接触させ、前記第一列の各カソードを前記一次接触素子から絶縁するように構成されている、アセンブリ。
【請求項２】
前記絶縁体と連携するように構成された二次接触素子を更に含み、前記二次接触素子が、前記絶縁体に関して、前記第二列の各アノードと電気的に接触することによって、前記第二列のアノードにおける電流分布の向上を促進するように構成されている、請求項１に記載のアセンブリ。
【請求項３】
前記絶縁体と連携するように構成された三次接触素子を更に含み、前記三次接触素子が、前記絶縁体に関して、前記第一列の各カソードと電気的に接触することによって、前記第一列のカソードにおける電流分布の向上を促進するように構成されている、請求項２に記載のアセンブリ。
【請求項４】
前記絶縁体が、本体と、アノード及びカソードをそれぞれ支持するために前記本体に沿って分布し且つ前記本体から上向きに延在している第一列及び第二列のシートとを含み、前記第一列の各シートが、該シート上に存在しているアノードに対する電気的接触を与えるために二次接触素子と連携するように構成されている上面を有し、前記第二列の各シートが、該シート上に存在しているカソードに対する絶縁を更に与えるように構成されている、請求項１から３のいずれか一項に記載のアセンブリ。
【請求項５】
前記第一列及び前記第二列が互いに間隔が空けられていて、前記第一列のシートと前記第二列のシートとの間にチャネルを画定していて、前記チャネルが細長の中央部分と、同じ列のシート間に延在する側方部分とを有する、請求項４に記載のアセンブリ。
【請求項６】
前記二次接触素子及び前記三次接触素子のうち少なくとも一方が、前記絶縁体の内部に部分的に埋め込まれているか、又は、前記絶縁体の表面上に存在している、請求項３に記載のアセンブリ。
【請求項７】
前記二次接触素子が、前記絶縁体の中に埋め込まれている隠れ部分と、前記隠れ部分から延在し且つ前記絶縁体の第一列のシートの上面に少なくとも存在している複数の露出部分とを含む、請求項２に記載のアセンブリ。
【請求項８】
前記三次接触素子が、細長の本体と、前記細長の本体から側方外向きに延在する側方アームとを含み、前記三次接触素子の細長の本体及び側方アームが、それぞれ、前記絶縁体のチャネルの細長の部分及び側方部分の上に存在するように構成されている、請求項３又は６に記載のアセンブリ。
【請求項９】
前記三次接触素子の各側方アームが、該三次接触素子の上に存在するカソードに対する電気的接触を与えるように構成されている上面を有する、請求項８に記載のアセンブリ。
【請求項１０】
前記三次接触素子の各側方アームがテーパ状の上面又は逆Ｖ字形状を有する、請求項８又は９に記載のアセンブリ。
【請求項１１】
前記キャッピング板の第二側方凹部が前記第一側方凹部よりも狭い、請求項１から１０のいずれか一項に記載のアセンブリ。
【請求項１２】
前記第一側方凹部のサイズが、各第一側方凹部がアノードを受けることができるように選択されていて、前記第二側方凹部のサイズが、各第二側方凹部がカソードを受けることができるように選択されていて、前記アノード及び前記カソードが、前記支持突起間に維持され、該側方凹部の上に存在することで、ぐらつかないようにされている、請求項１１に記載のアセンブリ。
【請求項１３】
第一列及び第二列の交互のアノード及びカソードを含む電解槽の電極における電流分布を向上するための方法であって、
前記第一列の各アノードと一次接触素子とを電気的に接触にさせ、前記第二列の各アノードを前記一次接触素子から絶縁し、
前記第二列の各カソードと前記一次接触素子とを電気的に接触させ、前記第一列の各カソードを前記一次接触素子から絶縁し、
前記第二列の各アノードと二次接触素子とを電気的に接触させて、前記第二列のアノードにおける電流分布を向上し、
前記第一列の各カソードと三次接触素子とを電気的に接触させて、前記第一列のカソードにおける電流分布を向上する方法。
【請求項１４】
前記一次接触素子と接触している前記第一列の各アノードが、前記二次接触素子と接触している前記第二列のアノードと対向している、請求項１３に記載の方法。
【請求項１５】
前記一次接触素子と接触している前記第二列の各カソードが、前記三次接触素子と接触している前記第一列のカソードと対向している、請求項１３に記載の方法。
【請求項１６】
少なくとも一つの分布アセンブリ部分を製造するための方法であって、
成形用の樹脂であって、絶縁物質製の樹脂を提供するステップと、
前記樹脂の内部に二次接触素子の部材を埋め込むステップと、
前記樹脂から前記分布アセンブリ部分を成形するステップとを含み、
前記分布アセンブリ部分が、
本体と、
前記本体から長手方向外向きに延在する第一列及び第二列のシートとを含み、前記二次接触素子が本体の内部に位置する隠れ部分を有し、前記二次接触素子が前記第一列のシートの上面に延在する複数の露出部分を含む、方法。
【手続補正書】
【提出日】平成31年3月1日(2019.3.1)
【手続補正１】
【補正対象書類名】特許請求の範囲
【補正対象項目名】請求項３０
【補正方法】変更
【補正の内容】
【請求項３０】
少なくとも1つの対象物（１１２）の光学的検出のための方法であって、以下の工程、
−少なくとも１つの縦方向光センサ（１１４）を使用して少なくとも１つの縦方向センサ信号を生成する工程、ここで、縦方向センサ信号は、変調された光ビーム（１３４）によって縦方向光センサ（１１４）のセンサ領域（１３０）の照明に依存し、縦方向センサ信号は、照明の全パワーが同じである場合、センサ領域（１３０）の変調された光ビーム（１３４）のビーム断面と照明の変調の変調周波数（１３８）に依存し、縦方向センサ信号は、第１の成分と第２の成分を有し、第１の成分は、変調された光ビーム（１３４）の変調の変化に対する縦方向光センサ（１１４）の応答に依存し、第２の成分は、照明の全パワーに依存する;及び
−縦方向センサ信号から第１の成分及び第２の成分を導出することによって縦方向光センサ（１１４）の縦方向センサ信号を評価する工程、ここで、対象物（１１２）の縦方向位置に関する情報の項目は、第１の成分と第２の成分を用いて決定される；
を有することを特徴とする方法。
【手続補正書】
【提出日】平成31年3月29日(2019.3.29)
【手続補正１】
【補正対象書類名】明細書
【補正対象項目名】００３０
【補正方法】変更
【補正の内容】
【００３０】
サンプルの体積膨張を生じさせるためにピストンを採用している炭酸化測定装置の別の非限定的な例が、参照によってその全体が本明細書に援用される、Ｗｉｅｌａｎｄらによる米国特許第４，２７６，７６９号に記載されている。
【手続補正２】
【補正対象書類名】明細書
【補正対象項目名】００３８
【補正方法】変更
【補正の内容】
【００３８】
サンプルは、入口１０１ａを通ってチャンバ１０１内に導入され得、測定後は出口１０１ｂを通過し得る。チャンバ１０１は、概して筒型の形状を有し、円形の断面積を有していることがある。内部要素、すなわち、コリメータレンズ１０５、フィルタ１０６ａ及び１０６ｂ、チョッパ１０７、及び集束レンズ１０８は、チャンバ１０１の内径に概ね適合するように形状を円形とすることができる。コリメータレンズ１０５は、源１０２からの赤外放射をコリメートする。集束レンズ１０８は、放射物を検出器１０３に集中させる。レンズ１０５及び１０８は、典型的には、サファイア又はゲルマニウムのレンズである。
【手続補正３】
【補正対象書類名】明細書
【補正対象項目名】００６０
【補正方法】変更
【補正の内容】
【００６０】
洗浄が終了すると、分析が開始する。ピストンが第１の停止まで下方に移動し、その後第２の停止まで移動する。この間、撹拌器は連続的に作動している。サンプルにおける微粒子（例えば、パルプ）の含有量が多い場合、フィルタの目が詰まりやすくなる。これにより、測定チャンバ内の圧力が低下する傾向にあることがある。サンプル充填中の圧力を確認すること。ＰＦＤを使用する場合、圧力は５ｂａｒ（７０ｐｓｉ）を下回るべきではない。完全に目詰まりした場合、フィルタと測定チャンバとの間のホース及び測定チャンバ自体の中で泡及び気泡が形成される。
【手続補正４】
【補正対象書類名】明細書
【補正対象項目名】００６６
【補正方法】変更
【補正の内容】
【００６６】
以下の表１に、缶入りのＰｅｐｓｉ（登録商標）ブランドの清涼飲料水に基づく、単一及び多重実験室検証（single-and multi-laboratory validation）データを示す。缶を使用した多重実験室において、平均ガス体積が３．６及び２％  ＲＳＤが１％（標準的なＣａｒｂｏＱＣ手順、ＴＭ２００．０８２で測定）のとき、この手順（ＡＭＳ−００１）により測定される炭酸化は、缶が冷蔵されている状態で、２％  ＲＳＤが２．７１％で平均ガス体積が３．４となることが予期される。単一実験室の結果も同様である。ＴＭ２００．０８２によれば２％  ＲＳＤが１.０７％で平均ガス体積が３．６２、ＡＭＳ−００１によれば２％  ＲＳＤが２．２６％で平均ガス体積が３．４３である。
【誤訳訂正書】
【提出日】平成31年3月8日(2019.3.8)
【誤訳訂正１】
【訂正対象書類名】特許請求の範囲
【訂正対象項目名】全文
【訂正方法】変更
【訂正の内容】
【特許請求の範囲】
【請求項１】
セグメントに基づく二段深層学習モデル用のビッグデータの処理方法であって、
セグメントに基づく二段深層学習モデルを構築して訓練するステップ１）であって、当該モデルは縦方向に第１段と第２段とに分けられ、前記第１段の各層は横方向にマルチモーダル入力のモーダル数であるＭ個のセグメントに分けられ、第１段における異なるセグメント間の隣接層のニューロンノード間の重みは０である、前記ステップ１）と、
処理対象のビッグデータをデータのモーダルの違いに応じてＭ個のサブセットに分け、それぞれセグメントに基づく二段深層学習モデルの第１層のＭ個のセグメントに入力して処理するステップ２）と、
ビッグデータの処理結果を出力するステップ３）と、
を含む、セグメントに基づく二段深層学習モデル用のビッグデータの処理方法。
【請求項２】
前記ステップ１）は、
深さがＬ層の深層学習モデルを縦方向に第１段と第２段とに分けるステップ１０１）であって、入力層が第１層、出力層が第Ｌ層、
【数１】
2018511870.tif 000001
を満たす第Ｌ＊層が分割層とされ、第１層から第Ｌ＊層までのすべての層が第１段と呼ばれ、第Ｌ＊＋１層から第Ｌ層までのすべての層が第２段と呼ばれる、前記ステップ１０１）と、
第１段内の各層におけるニューロンノードを横方向にＭ個のセグメントに分けるステップ１０２）であって、Ｌ層のニューラルネットワークの入力幅がＮとされ、すなわち、各層がＮ個のニューロンノードを有し、第１段のニューロンノードがＭ個のセグメントに分けられ、各セグメントの幅がＤｍであり、
【数２】
2018511870.tif 000002
且つ
【数３】
2018511870.tif 000003
であり、同一のセグメントにおいて、任意の２層の幅がいずれも同じになるように設定される、前記ステップ１０２）と、
訓練サンプルをＭ個のサブセットに分け、それぞれ深層学習モデルの第１層のＭ個のセグメントに入力するステップ１０３）と、
第１段のＭ個のセグメントのサブモデルのそれぞれを訓練するステップ１０４）であって、第１段における異なるセグメント間の隣接層のニューロンノード間の重みが０であり、すなわち、第ｍセグメントのすべてのノード集合がＳmであり、第
【数４】
2018511870.tif 000004
層の任意のノードが
【数５】
2018511870.tif 000005
であり、第ｏセグメントの第
【数６】
2018511870.tif 000006
層の任意ノードが
【数７】
2018511870.tif 000007
であると、ノード
【数８】
2018511870.tif 000008
と
【数９】
2018511870.tif 000009
との間の重みが
【数１０】
2018511870.tif 000010
であり、上述の制約条件において、第１段のＭ個のセグメントのサブモデルを、それぞれ、深層ニューラルネットワーク学習アルゴリズムを利用して訓練する、前記ステップ１０４）と、
第２段の各層を訓練するステップ１０５）と、
各層のネットワークパラメータを深層ニューラルネットワーク学習アルゴリズムによって各層のネットワークパラメータが最適値に達するまで全体的にファインチューニングするステップ１０６）と、
を更に含む、請求項１に記載のセグメントに基づく二段深層学習モデル用のビッグデータの処理方法。
【請求項３】
前記Ｌ＊の値は、交差検証方法によってＬ＊の値域内から１つの最適値を決定することにより得られる、請求項２に記載のセグメントに基づく二段深層学習モデル用のビッグデータの処理方法。
【誤訳訂正２】
【訂正対象書類名】明細書
【訂正対象項目名】０００６
【訂正方法】変更
【訂正の内容】
【０００６】
上記目的を実現するために、本発明は、セグメントに基づく二段深層学習モデル用のビッグデータの処理方法であって、
セグメントに基づく二段深層学習モデルを構築して訓練するステップ１）であって、当該モデルは縦方向に第１段と第２段とに分けられ、前記第１段の各層は横方向にマルチモーダル入力のモーダル数であるＭ個のセグメントに分けられ、第１段における異なるセグメント間の隣接層のニューロンノード間の重みは０である、前記ステップ１）と、
処理対象のビッグデータをデータのモーダルの違いに応じてＭ個のサブセットに分け、それぞれセグメントに基づく二段深層学習モデルの第１層のＭ個のセグメントに入力して処理するステップ２）と、
ビッグデータの処理結果を出力するステップ３）と、を含む、セグメントに基づく二段深層学習モデル用のビッグデータの処理方法を提供する。
【誤訳訂正３】
【訂正対象書類名】明細書
【訂正対象項目名】０００９
【訂正方法】変更
【訂正の内容】
【０００９】
本発明の利点は以下の通りである。
１、本発明に係るセグメントに基づく二段深層学習モデルは、モデルの規模を効果的に縮小させ、モデルの訓練時間を短縮させる。
２、本発明に係るビッグデータの処理方法は、マルチソース異種データ又はマルチモーダルなビッグデータの並列入力をサポートし、ビッグデータの処理速度を向上させ、処理時間を短縮させる。
【誤訳訂正４】
【訂正対象書類名】明細書
【訂正対象項目名】００１５
【訂正方法】変更
【訂正の内容】
【００１５】
ステップ１０２）第１段内の各層におけるニューロンノードを横方向にＭ個（Ｍはマルチモーダル入力のモーダル数）のセグメントに分ける。ここで、図２に示すように、Ｌ層のニューラルネットワークの入力幅がＮとされ、すなわち、各層がＮ個のニューロンノードを有し、第１段のニューロンノードがＭ個のセグメントに分けられ、各セグメントの幅がＤmであり、
【数１２】
2018511870.tif 000011
且つ
【数１３】
2018511870.tif 000012
であり、同一のセグメントにおいて、任意の２層の幅がいずれも同じになるように設定される。
【誤訳訂正５】
【訂正対象書類名】明細書
【訂正対象項目名】００２１
【訂正方法】変更
【訂正の内容】
【００２１】
ステップ２）処理対象のビッグデータをデータのモーダルの違いに応じてＭ個のサブセットに分け、それぞれセグメントに基づく二段深層学習モデルの第１層のＭ個のセグメントに入力して処理する。
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
医療予約スケジューリングシステムであって、前記システムは、
少なくとも過去の患者の予約日時、及び過去の患者の来院結果情報を含む、過去の患者来院記録データを保存する、データベースを有し、前記過去の患者の来院結果情報は、少なくとも過去の患者が来院しなかったか否かを決定するために十分なものであり、前記システムは更に、
オープンアクセス時間ウィンドウについての患者予約スケジュールを生成するようプログラムされた、１つ以上の電子プロセッサを有し、前記患者予約スケジュールは、時間スロットを有し、前記生成は、前記データベースから取得された患者非来院情報に基づいて各時間スロットについて非来院可能性を割り当てること、及び非来院可能性が閾値を超える時間スロットをオープンアクセス時間スロットとして指定すること、を含み、前記システムは更に、
表示装置及び少なくとも１つのユーザ入力装置を含む、ユーザインタフェースシステムを有し、前記ユーザインタフェースシステムは、
前記患者予約スケジュールを表示し、
予約のない時間スロットを患者に割り当て、前記予約のない時間スロットが予約済み時間スロットに変換されるようにし、
予約済み時間スロットの割り当てを解除して、前記予約済み時間スロットが予約のない時間スロットに変換されるようにする
よう構成され、前記ユーザインタフェースシステムは、前記患者予約スケジュールが生成されたオープンアクセス時間ウィンドウの間にのみ、患者に対して予約のない時間スロットを割り当てるよう構成された、医療予約スケジューリングシステム。
【請求項２】
前記生成は更に、各オープンアクセス時間スロット複製して、オープンアクセス時間スロットとして指定されていない複製時間スロットを生成することを含み、各オープンアクセス時間スロットにより占有される時間間隔が、２人の患者により二重予約され得るようにし、前記２人の患者のうちの１人は、前記患者予約スケジュールが生成された前記オープンアクセス時間ウィンドウの間のオープンアクセス時間スロットに割り当てられる、請求項１に記載の医療予約スケジューリングシステム。
【請求項３】
前記データベースは、少なくとも過去の患者の来院に費やされた医療職員の時間を含む、過去の患者の来院に費やされた医療リソースについての情報を更に含む、前記過去の患者来院記録データを保存し、前記１つ以上の電子プロセッサは更に、
前記オープンアクセス時間ウィンドウについて複数の異なる候補患者予約スケジュールを生成し、
前記候補患者予約スケジュールのシミュレーションに基づいて計算された目的関数を最適化する前記候補患者予約スケジュールとして前記患者予約スケジュールを選択する
ようプログラムされた、請求項１又は２に記載の医療予約スケジューリングシステム。
【請求項４】
前記オープンアクセス時間ウィンドウは１日であり、前記ユーザインタフェースシステムは、前記患者予約スケジュールが生成された日の間にのみ、予約されていないオープンアクセス時間スロットを患者に割り当てるよう構成された、請求項１乃至３のいずれか一項に記載の医療予約スケジューリングシステム。
【請求項５】
前記各時間スロットについて非来院可能性を割り当てることは、前記データベースに保存された過去の患者の来院に関する予測関数：
ｆ（ｋ，ｉ）＝β０，ｋ＋β１，ｋｘ１，ｉ＋β２，ｋｘ２，ｉ＋…＋βＭ，ｋｘＭ，ｉ
を最適化することを含み、ここでｉは患者の来院を示し、ｘｍ，ｉは少なくとも患者予約日時を表す特徴を含む患者来院特徴であり、βｍ，ｋは最適化されるべき係数であり、ｋは二値の来院／非来院の結果の変数である、請求項１乃至４のいずれか一項に記載の医療予約スケジューリングシステム。
【請求項６】
前記最適化は、多項ロジスティック回帰を実行することを含む、請求項５に記載の医療予約スケジューリングシステム。
【請求項７】
前記１つ以上の電子プロセッサは、医師のカレンダに示された前記オープンアクセス時間ウィンドウの間の医師の対応可能性に基づいて時間スロットを制約することを更に含む、前記オープンアクセス時間ウィンドウについての前記患者予約スケジュールの生成を実行するようプログラムされた、請求項１乃至６のいずれか一項に記載の医療予約スケジューリングシステム。
【請求項８】
前記生成は更に、各オープンアクセス時間スロット複製して、オープンアクセス時間スロットとして指定されていない複製時間スロットを生成することを含み、
前記ユーザインタフェースシステムは、各オープンアクセス時間スロットについてのエントリと、オープンアクセス時間スロットとして指定されていない当該オープンアクセス時間スロットの複製時間スロットについての別個のエントリと、を含む前記患者予約スケジュールを表示するよう構成された、
請求項１乃至７のいずれか一項に記載の医療予約スケジューリングシステム。
【請求項９】
前記ユーザインタフェースシステムは、前記患者予約スケジュールが生成されている前記オープンアクセス時間ウィンドウの間を除いた前記オープンアクセス時間スロットについての表示されたエントリとのユーザインタラクションを可能としない、請求項８に記載の医療予約スケジューリングシステム。
【請求項１０】
幾つかの時間スロットをオープンアクセス時間スロットとして指定するステップを含むオープンアクセス時間ウィンドウについての時間スロットを有する患者予約スケジュールを生成するステップと、
どの時間スロットがオープンアクセス時間スロットとして指定されているかの示唆を表示するステップを含む前記患者予約スケジュールを表示装置に表示させるステップと、
予約のない時間スロットを患者に割り当て、前記予約のない時間スロットが予約済み時間スロットに変換されるようにするステップと、
予約済み時間スロットの割り当てを解除して、前記予約済み時間スロットが予約のない時間スロットに変換されるようにするステップと、
を含む、医療予約スケジューリング動作を実行するための、電子プロセッサにより読み取り可能及び実行可能な命令を保存する持続性記憶媒体であって、
前記割り当てるステップは、前記オープンアクセス時間ウィンドウの間の前記オープンアクセス時間スロットにのみ動作可能な、持続性記憶媒体。
【請求項１１】
即日予約が利用可能な、カスタマイズされた予約スケジューリング計画を生成するための方法であって、前記方法は、
１つ以上のスケジューリングの好み及び履歴患者来院データに関連する入力を電子プロセッサにおいて受信するステップと、
前記１つ以上のスケジューリングの好みに基づいて予約テンプレートを生成するステップと、
過去の前記患者来院データに基づいて前記予約テンプレートを最適化するステップと、
最適スケジュールを生成するステップと、
前記最適スケジュールを表示するステップと、
を含み、前記予約テンプレートを生成するステップ、前記最適化するステップ及び前記最適スケジュールを生成するステップは、前記電子プロセッサにより実行される、方法。
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
宝石の蛍光特性を評価する装置であって、
評価される宝石を支持するように構成された平坦な円形表面を有する光学的に不透明なプラットフォームであって、前記プラットフォームは、設定された角度変化で回転軸の周りを回転するように構成されるとともに、高さ調整可能である、プラットフォームと、
前記プラットフォームを囲むように形作られた円形リングの調整可能な光源であって、円形リングの前記光源が前記プラットフォームに対して高さ調整可能であり、調整可能な前記光源は、複数の波長で光を放射可能である、光源と、
反射材料を含む半球形状リフレクタ装置であって、前記リフレクタ装置が、前記光源および前記プラットフォーム表面を少なくとも部分的に覆い、前記光源からのＵＶ放射を前記プラットフォーム表面上に配置された前記宝石に向かって導く、半球形状リフレクタ装置と、
画像捕捉構成要素であって、前記宝石を支持する前記プラットフォーム表面に対して所定の角度で前記画像捕捉構成要素が配置され、前記画像捕捉構成要素および前記プラットフォームが互いに対して回転するように構成されている、画像捕捉構成要素と、
前記宝石からの蛍光の放出を捕捉して前記照らされた宝石の画像を前記画像捕捉構成要素に提供するように配置されたテレセントリックレンズと、
を備える、装置。
【請求項２】
前記リフレクタ装置の前記内面は、半球形状を有する、請求項１に記載の装置。
【請求項３】
宝石の色特性を評価する装置であって、
評価される宝石を支持するように構成された表面を有する光学的に不透明なプラットフォームであって、前記プラットフォームは、設定された角度変化で回転軸の周りを回転するように構成されるとともに、高さ調整可能である、プラットフォームと、
前記プラットフォームの前記表面の上方にある円形リングの調整可能な光源であって、前記光源が、前記プラットフォーム上の前記宝石に直接の均一な紫外線（ＵＶ）放射を提供するように設計され、調整可能な前記光源は、複数の波長で光を放射可能である、光源と、
画像捕捉構成要素であって、前記宝石を支持する前記プラットフォーム表面に対して所定の角度で前記画像捕捉構成要素が配置され、前記画像捕捉構成要素および前記プラットフォームが互いに対して回転するように構成されている、画像捕捉構成要素と、
前記宝石からの蛍光の放出を捕捉して前記照らされた宝石の画像を前記画像捕捉構成要素に提供するように配置されたテレセントリックレンズと、
を備える、装置。
【請求項４】
コリメーションレンズをさらに備え、前記コリメーションレンズおよび前記光源は、前記プラットフォーム上の前記宝石に均一なＵＶ照明を提供するよう結合される、請求項３に記載の装置。
【請求項５】
光学ディフューザをさらに備え、前記光学ディフューザおよび前記光源は、前記プラットフォーム上の前記宝石に均一なＵＶ照明を提供するよう結合される、請求項３に記載の装置。
【請求項６】
コリメーションレンズと、
光学ディフューザとをさらに備え、前記コリメーションレンズ、前記光学ディフューザ、および前記光源が、前記プラットフォーム上の前記宝石に均一なＵＶ照明を提供するよう結合される、請求項３に記載の装置。
【請求項７】
前記光源によって提供される前記ＵＶ放射は、トランス放射、直接ＵＶ放射、およびそれらの組み合わせを備える、請求項１に記載の装置。
【請求項８】
前記光源はさらに、前記宝石に均一な非ＵＶ照明を提供する、請求項１に記載の装置。
【請求項９】
前記テレセントリックレンズが、物体−空間テレセントリックレンズ、またはダブルテレセントリックレンズである、請求項１に記載の装置。
【請求項１０】
前記プラットフォームが、前記回転軸を中心に３６０度回転するよう構成される、請求項１に記載の装置。
【請求項１１】
前記プラットフォーム表面がＵＶ反射材料を備える、請求項１に記載の装置。
【請求項１２】
前記プラットフォーム表面が拡散ＵＶ反射材料を備える、請求項１に記載の装置。
【請求項１３】
前記プラットフォーム表面が白色拡散反射材料を備える、請求項１に記載の装置。
【請求項１４】
前記光源が、前記プラットフォーム表面を囲むリング光として構成される、請求項１に記載の装置。
【請求項１５】
前記光源が、複数の発光ＬＥＤを備える、請求項１に記載の装置。
【請求項１６】
前記ＬＥＤが、３６５ｎｍまたは３８５ｎｍで蛍光を発する、請求項１５に記載の装置。
【請求項１７】
前記ＬＥＤが、バンドパスフィルタと結合される、請求項１５に記載の装置。
【請求項１８】
前記バンドパスフィルタが、３６５ｎｍまたは３８５ｎｍに設定される、請求項１７に記載の装置。
【請求項１９】
前記ＬＥＤが、前記プラットフォーム表面を囲むリング光として構成される、請求項１８に記載の装置。
【請求項２０】
前記光源が、昼光近似光源および複数の発光ＬＥＤを備える、請求項１に記載の装置。
【請求項２１】
前記ＬＥＤが、バンドパスフィルタと結合される、請求項２０に記載の装置。
【請求項２２】
前記バンドパスフィルタが、３６５ｎｍまたは３８５ｎｍに設定される、請求項２１に記載の装置。
【請求項２３】
前記画像捕捉構成要素と前記プラットフォーム表面との間の前記所定の角度が、約０°〜約４５°の間である、請求項１に記載の装置。
【請求項２４】
前記画像捕捉構成要素と前記プラットフォーム表面との間の前記所定の角度が、約１０°〜約３５°の間である、請求項１に記載の装置。
【請求項２５】
前記画像捕捉構成要素は、カラーカメラ、ＣＣＤカメラ、および１つまたは複数のＣＭＯＳセンサからなるグループから選択される、請求項１に記載の装置。
【請求項２６】
前記画像捕捉構成要素は、ＵＶ放射によって照らされた前記宝石の複数のカラー画像を捕捉し、各画像は前記宝石のフル画像を備える、請求項１に記載の装置。
【請求項２７】
前記画像捕捉構成要素は、前記照らされた宝石の複数のカラー画像を取り込み、各画像は、前記画像捕捉構成要素と前記プラットフォーム表面とが異なる相対回転位置にある場合に取られ、各画像は、前記宝石のフル画像を備える、請求項１に記載の装置。
【請求項２８】
前記複数のカラー画像は、４つ以上のカラー画像、５つ以上のカラー画像、１０以上の画像、１５以上の画像、２０以上の画像、または８００以上の画像を備え、各画像は固有の画角で取られ、複数の画素を備える、請求項２７に記載の装置。
【請求項２９】
前記画像捕捉構成要素によって収集された前記画像を記憶するためのコンピュータ可読媒体をさらに備える、請求項１に記載の装置。
【請求項３０】
前記蛍光特性は、蛍光強度レベル、蛍光色、またはそれらの組み合わせである、請求項１に記載の装置。
【請求項３１】
前記ＵＶ放射の出力強度を調整するために、前記光源と前記プラットフォーム表面との間の界面をさらに備える、請求項１に記載の装置。
【請求項３２】
前記画像捕捉構成要素と前記テレセントリックレンズとの間にＵＶフィルタをさらに備え、すべてのＵＶ構成要素を排除する、請求項１に記載の装置。
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
集積デジタルマイクロ流体ナノポアデバイスであって、
マイクロ流体モジュール；および
マイクロ流体モジュールと流体的に連通され、少なくとも１つのナノポアを含むナノポアモジュール
を含み、
そこでマイクロ流体モジュールが少なくとも１つのナノポアに液滴を導入するように構成される、
該デバイス。
【請求項２】
前記ナノポアが固体ナノポアまたは生体ナノポアである、請求項１に記載のデバイス。
【請求項３】
前記マイクロ流体モジュールが、電気力、エレクトロウェッティング、誘電泳動、電極媒介性、オプト−エレクトロウェッティング、電界媒介性、静電アクチュエーション、圧力、および弾性表面波からなる群から選択される流体操作力により前記液滴を動かすように構成される、請求項１に記載のデバイス。
【請求項４】
前記マイクロ流体モジュールが、
その上に配置された液滴上に電気アクチュエーション力を生成するための電極のアレイを含む第１の基板；および
第１の基板から離れて置かれた第２の基板
を含み、
そこでアレイ中の第１の電極がアノードを形成し、アレイ中の第２の電極がカソードを形成して、ナノポアを介して電流を駆動する、
請求項１に記載のデバイス。
【請求項５】
前記ナノポアが、第１の基板および第２の基板の少なくとも１つに添付されたナノポア層中に配置され、かつ、前記第１の電極および第２の電極が前記ナノポア層に接する、請求項４に記載のデバイス。
【請求項６】
前記第１の基板および第２の基板の少なくとも１つが実質的に透明である、請求項４に記載のデバイス。
【請求項７】
前記アレイ中の電極がグリッドパターンで配置される、請求項４に記載のデバイス。
【請求項８】
前記アレイ中の電極が櫛型である、請求項４に記載のデバイス。
【請求項９】
前記マイクロ流体モジュールが、弾性表面波（ＳＡＷ）生成材料の層を含む、請求項１に記載のデバイス。
【請求項１０】
前記マイクロ流体モジュール上に配置され、かつ、前記液滴により保有されるように構成される少なくとも１つの試薬を更に含む、請求項１に記載のデバイス。
【請求項１１】
前記試薬が、結合メンバー、切断可能なタグ、およびその組み合わせからなる群から選択される、請求項１０に記載のデバイス。
【請求項１２】
前記切断可能なタグが、陰イオン性ポリマー、陽イオン性ポリマー、デンドリマー、またはナノ粒子を含み、前記結合メンバーが、抗体または受容体を含む、請求項１１に記載のデバイス。
【請求項１３】
生物学的サンプル中に存在する検体を検出する方法であって、
サンプルを第１の結合メンバーと接触させること、ここで、前記第１の結合メンバーは固体支持体上に固定化されており、かつ、前記第１の結合メンバーは検体に特異的に結合する；
検体を第２の結合メンバーと接触させること、ここで、前記第２の結合メンバーは検体に特異的に結合し、かつ、前記第２の結合メンバーは切断可能なタグを添付されて含む；
第１の結合メンバーへ結合されている検体へ結合されない第２の結合メンバーを除去すること；
第１の結合メンバーへ結合されている検体へ結合されている第２の結合メンバーへ添付された切断可能なタグを切断すること；
切断可能なタグをナノポアを介して移動させること；および
ナノポアを介して移動する切断可能なタグを検出すること
を含む、該方法。
【請求項１４】
前記ナノポアが、
マイクロ流体モジュール；および
マイクロ流体モジュールと流体的に連通され、ナノポアを含むナノポアモジュール
を含むデバイス中に配置され、
そこでマイクロ流体モジュールがナノポアに液滴を導入するように構成される、
請求項１３に記載の方法。
【請求項１５】
前記ナノポアが、デバイス内にインシトゥーで形成される、請求項１４に記載の方法。
【請求項１６】
前記切断可能なタグが、陰イオン性ポリマー、陽イオン性ポリマー、デンドリマー、およびナノ粒子からなる群から選択される、請求項１３に記載の方法。
【請求項１７】
前記切断可能なタグが負に荷電され、前記移動が、前記ナノポアを横切って正電位を適用し、それによって、前記ナノポアを介して前記切断可能なタグを移動させることを含む、請求項１３に記載の方法。
【請求項１８】
前記切断可能なタグが正に荷電され、前記移動が、前記ナノポアを横切って負電位を適用し、それによって、前記ナノポアを介して前記切断可能なタグを移動させることを含む、請求項１３に記載の方法。
【請求項１９】
前記ナノポアを介するそれぞれの切断可能なタグの移動が移動事象であり、かつ、前記方法が前記移動事象を測定して前記サンプル中に存在する検体の量を測定することを更に含み、そこで前記サンプル中に存在する検体の量が、
設定された時間の期間の間の移動事象の数をカウントし、移動事象の数を対照へ相関させること；
設定された数の移動事象の発生についての時間の量を測定し、対照へ相関させること；または
移動事象間の平均時間を決定し、対照へ相関させること
によって決定され、
そこで対照が、キャリブレーションカーブ、スタンダード添加、またはデジタルポリメラーゼ連鎖反応を含む、参照スタンダードである、
請求項１３に記載の方法。
【請求項２０】
前記移動事象の測定が、前記ナノポアと前記切断可能なタグの相互作用によって誘導される電流の変化を観察することを含む、請求項１９に記載の方法。
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
360°までのアクセスと視認性を有し、多角形と円形であり、手動と電気のリモートコントロールの両方で回転式と移動式であり、中央のシリンダーの上部に水とバッテリー貯蔵リザーバーを装備し、内部および外部カメラと接続されていて所有者および/または近くの店舗にメッセージおよび画像を送受信する能力を有するとともに、スマートショッピングのためのネットワークにも接続されたデジタルシステム、および遠隔制御および衛星電話を備えていて、一方の側からの限られたアクセスの代わりに消費者があらゆる側からアクセスすることができる、中央冷蔵庫および／または冷凍庫。
【請求項２】
制限された一方的な使用の除去のために、キッチン内の角部であって隣接するキャビネットおよび壁に接してのみ置かれる代わりに、キッチンとレセプションホールの間に配置される能力を有し、冷蔵庫と冷凍庫の胴を主支持台上を地面の近くにある中央主井の周りに移動するように動かすことができ、他の車輪と玉軸受によって手動または遠隔操作によって中心軸の周りを回転するようにされた、請求項１に記載の冷凍庫および／または冷蔵庫。
【請求項３】
セントラルダクトを通したスマートな調節可能なトラップドアによるスペース間の制御可能な関係を考慮し、冷蔵庫の少なくとも2つの主隣接空間と冷凍機の2つの主隣接空間と、いくつかのドアを有する他の並存空間とを含む４つ以上の主な隣接ユニットの温度を個別に変更し調整することにより、処理システムによる温度のスマートな調整とその均等化を異なる材料の冷却ニーズに基づいてエネルギーと効率を節約するために貯蔵材料に必要な温度を制御することができる能力を有する、請求項１または２に記載の冷凍庫および／または冷蔵庫。
【請求項４】
冷蔵庫の主プラットフォーム配置の、蓄電池およびバックボーンサポートが構築される場所である、隣接する地下への移動および回転による支持が行われ、機関および冷却システムの中央部（中央縦ダクト）への移動、および中央縦ダクトの頂部への排気ファンの設置がなされた、請求項１〜３のいずれか一項に記載の冷凍庫および／または冷蔵庫。
【請求項５】
周囲環境からの入り口の増加を考慮した、一方の側からのアクセスから360°アクセスへの向上のための冷蔵庫および冷凍室のアクセスドアの、2つのサイドバイサイドドアからより多くのドアへの増加がなされ、２つの隣接するドアの冷凍庫としての設置、および他の2つの隣接するドアの冷蔵庫としての設置（サイドバイサイド冷蔵庫とサイドバイサイド冷凍庫）がされた、請求項１〜４のいずれか一項に記載の冷凍庫および／または冷蔵庫。
【請求項６】
ポリゴン、曲線および円形形状の使用、および新モデルにおける必要なドアの３６０度までの使用をおこなった、組み立てることができ、容易な運搬と重量減少することができる、異なった別々の部品で胴体と扉を製造した、請求項１〜５のいずれか一項に記載の冷凍庫および／または冷蔵庫。
【請求項７】
電話システムを介して冷蔵庫と冷凍庫と併存空間との内部温度の増減およびオンオフをリモコンのインテリジェント電子ボードを介して行うリモートコントロール。
【請求項８】
ユーザインタフェースのための音声認識と画像認識を用いた人工知能パーソナルアシスタントシステムの使用をおこなう、スマートシステムを介して所有者の携帯電話に画像を送信するため、および/または所定の店舗に必要な消耗品のリストおよび減少量およびそれらの準備および冷蔵庫設置住所への送付のための情報を接続するためのカメラを装備した、冷蔵庫の内部空間を有する、請求項１〜６のいずれか一項に記載の冷凍庫および／または冷蔵庫。
【請求項９】
緊急時に給水および給電のネットワークから独立して一定時間使用するための、充電式バッテリと、上部貯水リザーバとが装備されており、冷蔵庫が所定の位置に固定された際には、冷蔵庫下部の主指示部を通した電気および水の接続がなされている、請求項１〜６および８のいずれか一項に記載の冷凍庫および／または冷蔵庫。
【請求項１０】
冷蔵庫の中央インテリジェントシステムの状態および警報を表示し、必要に応じて調理訓練などのテレビ、マルチメディア、衛星チャネルを表示するために使用される、ドアの横両側とドア上部とに配置されるモニタおよびスピーカー。携帯記憶装置がシステムに結合可能である、請求項１〜６、８および９のいずれか一項に記載の冷凍庫および／または冷蔵庫。
【請求項１１】
360°までのあらゆる角度で使用でき、ホールやキッチンのコーナーに360°未満の角度で、たとえば多かれ少なかれ90°程度である、請求項１〜６、８〜１０のいずれか一項に記載の冷凍庫および／または冷蔵庫。
【請求項１２】
メインドアと棚の横にある小さなドアはスライドしており、リモコンで手動または自動で上下に動かすことができ、または、開口部のドアを一体化するための上部と下部を結合するための特別なロックを有する、請求項１〜６、８〜１１のいずれか一項に記載の冷凍庫および／または冷蔵庫。
【請求項１３】
冷蔵庫構成部品の形態で使用される構成および比率。
【請求項１４】
企業のリモート診断、トラブルシューティング、およびファームウェア更新を含む異なる電気通信システムを使用して、冷蔵庫からメーカ、所有者および店舗にメッセージを送受信できる中央コンピュータシステム。
【請求項１５】
扉とドアの間のスペースにおける製氷機、チラー、急速冷凍システム、コーヒーマシンおよび電子レンジの使用、ならびにケーキやペストリーを収納するための別個のドアを有する、フルーツ 、野菜および他の材料のための、温度調節可能な特別なスペースを有する、請求項１〜６、８〜１２のいずれか一項に記載の冷凍庫および／または冷蔵庫。
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
処理システムにおいて、
第１データを、前記処理システムの第１キャッシュのエントリから前記処理システムの第２キャッシュのエントリに転送することと、
前記処理システムにおいて、前記第１データを前記第１キャッシュのエントリから前記第２キャッシュのエントリに転送することに応じて、前記第１キャッシュのエントリの有効ステータスを無効状態に設定することと、
前記処理システムにおいて、前記第１キャッシュのエントリの有効ステータスが無効状態を示すことに応じて、前記第２キャッシュにおいて置換のための第２データを選択することと、
置換のための前記第２データを選択したことに応じて、前記第２データを前記第２キャッシュから前記第１キャッシュに転送することと、を含む、
方法。
【請求項２】
前記第１データを前記第１キャッシュのエントリから前記第２キャッシュのエントリに転送した後に、前記第２キャッシュにおいて受信したメモリアクセス要求に応じて、前記第２キャッシュにおいて置換のための前記第２データを選択することをさらに含む、
請求項１の方法。
【請求項３】
前記第２キャッシュのキャッシュコントローラにおいて前記第１キャッシュのエントリの有効ステータスを記憶することであって、前記第２データを選択することは、記憶された有効ステータスに基づいて前記第２データを選択することを含む、ことをさらに含む、
請求項１の方法。
【請求項４】
データが前記第１キャッシュのエントリに記憶されたという指示に応じて、記憶された有効ステータスを更新することをさらに含む、
請求項３の方法。
【請求項５】
前記第２キャッシュにおいて置換のための前記第２データを選択することは、前記第２キャッシュのエントリのエイジ値に基づいている、
請求項１の方法。
【請求項６】
第１データを前記第２キャッシュのエントリから第３キャッシュに転送することと、
前記第２キャッシュのエントリの有効ステータスに関係なく、前記第３キャッシュにおける置換のためのデータを選択することと、をさらに含む、
請求項１の方法。
【請求項７】
処理システムの第１キャッシュに関連する第１キャッシュコントローラにおいて、第２キャッシュのエントリの有効ステータスを追跡することと、
前記処理システムにおいて、前記第１キャッシュコントローラによって追跡された前記第２キャッシュのエントリの有効ステータスが無効データを示すことに応じて、前記第１キャッシュコントローラによるエビクションのためのデータを前記第１キャッシュから選択することと、
前記データが前記第２キャッシュのエントリに記憶されていることを識別したことに応じて、前記第１キャッシュから前記データを選択することと、を含む、
方法。
【請求項８】
データが前記第２キャッシュのエントリから前記第１キャッシュに転送される場合に、前記第２キャッシュのエントリの有効ステータスが無効であると識別することをさらに含む、
請求項７の方法。
【請求項９】
エビクションのために選択されたデータを前記第１キャッシュから前記第２キャッシュに転送することをさらに含む、
請求項７の方法。
【請求項１０】
エビクションのためのデータを前記第１キャッシュから選択することは、前記第１キャッシュにおける前記データのエイジ値に部分的に基づいている、
請求項７の方法。
【請求項１１】
第１キャッシュと、
第２キャッシュと、
第１キャッシュコントローラと、を備え、
前記第１キャッシュコントローラは、
第１データを、前記第１キャッシュのエントリから前記第２キャッシュのエントリに転送することに応じて、前記第１キャッシュのエントリの有効ステータスを無効状態に設定することと、
前記第１キャッシュのエントリの有効ステータスが無効状態を示すことに応じて、前記第２キャッシュにおいて置換のための第２データを選択することと、
置換のために選択された前記第２データを前記第２キャッシュから前記第１キャッシュに転送することと、
を行うように構成されている、
プロセッサ。
【請求項１２】
前記第１キャッシュコントローラは、
前記第１データを前記第１キャッシュのエントリから前記第２キャッシュのエントリに転送した後に、前記第２キャッシュにおいて受信したメモリアクセス要求に応じて、前記第２キャッシュにおいて置換のための前記第２データを選択すること、
を行うようにさらに構成されている、
請求項１１のプロセッサ。
【請求項１３】
前記第１キャッシュコントローラは、
前記第１キャッシュのエントリの有効ステータスを記憶することと、
前記記憶された有効ステータスに基づいて前記第２データを選択することと、
を行うようにさらに構成されている、
請求項１２のプロセッサ。
【請求項１４】
前記第１キャッシュコントローラは、
データが前記第１キャッシュのエントリに記憶されたという指示に応じて、記憶された有効ステータスを更新することを行うようにさらに構成されている、
請求項１３のプロセッサ。
【請求項１５】
前記第１キャッシュコントローラは、
前記第２キャッシュのエントリのエイジ値に基づいて、置換のための前記第２データを選択することを行うようにさらに構成されている、
請求項１１のプロセッサ。
【請求項１６】
第３キャッシュと、第２キャッシュコントローラと、をさらに備え、
前記第１キャッシュコントローラは、前記第１データを前記第２キャッシュのエントリから前記第３キャッシュのエントリに転送するように構成されており、
前記第２キャッシュコントローラは、前記第３キャッシュにおいて置換のためのデータを選択するように構成されている、
請求項１１のプロセッサ。
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
フレキソ印刷版を作成する方法、あるいはフレキソ印刷版を製造するマスクを作成する方法であって、前記方法は、
（ａ）前記印刷版のインク担持部分及び非インク担持部分に対応する画像情報を提供するステップであって、前記インク担持部分は、複数のインク担持要素を備える、ステップと、
（ｂ）前記画像情報に従って、前記印刷版又はマスクを露光又は除去するステップであって、
（ｉ）前記画像情報に均等寸法のスポットの基本パターンを重ね合わせるステップであって、各スポットは、前記印刷版又はマスク上に表される結像個別要素又は非結像個別要素に対応しており、前記基本パターンにて結像個別要素に対応する各スポットは、非結像個別要素に対応する８つのスポットによって囲まれ、前記結像要素及び非結像要素に対応する前記スポットは、結像装置の結像解像度によって形成されるグリッドに位置合わせされる、ステップ、及び、
（ｉｉ）４つの隣接する結像個別要素の各組がその中心に未露光領域又は未除去領域を有するように、各結像個別要素を露光又は除去するサイズを選択するステップであって、前記未露光領域又は未除去領域は、最上レベルの下であるが非印刷レベルの上のレベルを有する前記印刷版の表面上の領域に分解され、前記４つの隣接する結像個別要素のそれぞれが前記最上レベルに分解される、ステップ、によって、
前記印刷版又はマスクを露光又は除去するステップと、
を含む方法。
【請求項２】
前記基本パターンの各スポットは、前記印刷版又はマスクにて結像又は除去される最小の個別要素のサイズに対応するサイズを有する、請求項１に記載の方法。
【請求項３】
露光又は除去される結像個別要素のそれぞれは、マスク上の前記結像個別要素を露光又は除去するのに用いられるレーザビームの空間分解能に対応する、請求項２に記載の方法であって、前記方法は、前記レーザビームによって前記マスクに結像するステップを含む、方法。
【請求項４】
前記レーザビームによって前記マスクに結像するステップは、非孤立画素を結像するのに用いられる前記レーザビームの出力に対して各孤立画素を結像するのに用いられる前記レーザビームの出力を増強するステップを含む、請求項３に記載の方法。
【請求項５】
（ａ）第１の複数の画素を含む第１のスクリーニングスーパーセルを形成するステップであって、各画素が中実又は空の画素値を有する、ステップと、
（ｂ）前記第１のスクリーニングスーパーセルの（Ｘ，Ｙ）に位置する中実画素値を有する各画素に対して、第１の数式
Ｘ′＝ｆｘ（Ｘ，Ｙ）
Ｙ′＝ｆｙ（Ｘ，Ｙ）
を適用することによって、中実又は空の画素値をそれぞれが有する第２の複数の画素を含む第２のスーパーセルに位置（Ｘ′，Ｙ′）を割り当てるステップと、
（ｃ）前記第１の数式によって設定された値を有していない画素が空の画素値に設定されるように、前記第２のスーパーセルの前記複数の画素に対して画素値を設定するステップであって、
前記第１の数式は、（ｉ）Ｘ′及びＹ′が整数であり、（ｉｉ）前記第１のスーパーセルのどの２つの画素も前記第２のスーパーセル内の同じ画素に変換されず、（ｉｉｉ）中実の値を有する全画素（Ｘ′，Ｙ′）が、前記数式によって設定されていない空の値を有する少なくとも８つの空の画素が中実の値を有する各画素（Ｘ′，Ｙ′）を包囲するスポットの前記基本パターンを形成するという、一連の規則を順守する、ステップと、を含む、請求項１〜４のいずれか１項に記載の方法。
【請求項６】
請求項１〜５のいずれか１項の方法によって製造される、フレキソ印刷版又はフレキソ印刷版を作成するためのマスク。
【請求項７】
フレキソ印刷版を作成するマスクを製造する結像システムであって、前記結像システムは、
結像データファイルにて特定される均等寸法のスポットに対応する個別結像要素に対応する放射線にマスクの一部を露光させるように構成されるレーザ源であって、前記レーザ源は、前記マスクにて前記結像要素を露光する前記レーザビームのサイズを調節する調整可能なレーザ出力を有する、レーザ源と、
結像データを受け取り、前記レーザ源に対する操作命令に変換するように構成されたプロセッサを備えるコントローラであって、前記結像データは、前記印刷版のインク担持部分及び非インク担持部分に対応する画像情報を含む結像データを含み、前記インク担持部分は複数のインク担持要素を備え、前記結像データは、前記画像情報に重ね合わせた前記スポットから構成される基本パターンを含み、各スポットは、前記マスク上に表される結像個別要素又は非結像個別要素に対応する、コントローラにおいて、
前記基本パターンの結像個別要素に対応する各スポットは、非結像個別要素に対応する８つのスポットによって包囲され、
前記結像要素及び非結像要素に対応する前記スポットは、結像装置の結像分解能によって形成されるグリッドに位置合わせされ、前記コントローラは、前記印刷版の非ベタ色調領域に対応する前記マスクの少なくとも一部にて、前記レーザビームによって各結像個別要素を露光又は除去することによって、前記マスクを作成するように構成され、前記レーザビームの前記サイズは、４つの隣接結像個別要素の各セットが、その間の中心に未露光領域又は未除去領域を有するようにし、
前記未露光領域又は未除去領域は、最上レベルより下であるが非印刷レベルより上であるレベルを有する前記印刷版の表面上の領域に分解され、前記４つの隣接結像個別要素それぞれが前記最上レベルに分解される、コントローラと、を具備する結像システム。
【請求項８】
前記コントローラは、孤立スポットとしての非結像個別要素に対応する前記８つのスポットによって包囲される前記基本パターンの前記結像個別要素に対応する各スポットを識別するように構成され、
レーザ源に、前記結像データの孤立スポットに対応しない結像個別要素を露光又は除去する出力よりも比較的大きな出力を前記結像データの前記孤立スポットに対応する前記結像個別要素を露光又は除去するために使用するように命令するように構成される、請求項７に記載の結像システム。
【請求項９】
４つの隣接結像個別要素の前記セットの前記露光又は除去される結像個別要素の前記セットのそれぞれは、４つのセットの別の露光又は除去される結像個別要素の周辺部に全体的には重複しない円形周辺部を有する、請求項７に記載の結像システム。
【請求項１０】
前記結像システムは、前記マスクに対応するパターンにて印刷版をＵＶ放射線によって露光するＵＶ露光システムであって、前記ＵＶ露光システムはフラットトップドットを製造するように構成される、ＵＶ露光システムをさらに具備する、請求項７〜９のいずれか１項に記載の結像システム。